(57)【特許請求の範囲】
【請求項１】
電流を充電可能な充電池を有する電子機器と携帯電話機とを接続し、一方の充電池の電流を他方の充電池に供給して充電を行う充電制御装置において、
前記電子機器の充電池の残容量を取得する第１取得手段と、
前記携帯電話機の充電池の残容量を取得する第２取得手段と、
前記第１及び第２取得手段が取得した残容量を比較する容量比較手段と、
前記容量比較手段による比較の結果、残容量が大きい方を電流供給端末、他方を電流被供給端末に設定する端末設定手段と、
設定された前記電流供給端末側の充電池の電流を前記電流被供給端末側の充電池に供給して充電する充電手段と、
前記電子機器又は前記携帯電話機の何れが前記電流被供給端末に設定されたかを報知する報知手段と、
前記電子機器が電流供給端末に設定されている場合において、前記第１取得手段が取得した残容量が所定容量以下となると、前記電子機器の電源を停止する電源停止手段と、を備え、
前記充電手段は、前記電源停止手段が前記電子機器の電源を停止した場合、充電を停止し、前記携帯電話機の充電池の残容量が所定容量以下となると充電を再開することを特徴とする充電制御装置。
【発明の詳細な説明】
【技術分野】
【０００１】
本発明は、携帯電話機と電子機器との間で充電制御を行う充電制御装置に関するものである。
【背景技術】
【０００２】
近年、生活の必需品となっている携帯電話機に、充電用専用端子を用いることなく充電することができる技術が提案されている。例えば、特許文献１には、ＰＤＡ（Personal Digital Assistance）と携帯電話機との間で充電制御を行う発明が開示されている。具体的には、ＰＤＡと携帯電話機とが有する充電池の電池残量を比較して、ＰＤＡの電池残量が携帯電話機の電池残量を越えていれば、ＰＤＡの充電池から携帯電話機の充電池に充電を行うようになっている。そして、ＰＤＡの電池残量が携帯電話機の電池残量を下回ると、充電を停止するようになっている。この特許文献１によると、ＰＤＡと携帯電話機とが有する充電池の電池残量を適正な量にすることができるようになっている。
【０００３】
【特許文献１】特開２００５−２８７２７８号公報
【発明の開示】
【発明が解決しようとする課題】
【０００４】
上記特許文献１の発明は、携帯電話機又はＰＤＡに接続するプラグの種類に応じて電流を供給する側の端末（以下、マスタ）になるのか、充電される側の端末（以下、スレーブ）になるのかが決定されるようになっている。具体的には、マスタ用のプラグを携帯電話機に差し込むと携帯電話機がマスタに決定される。従って、充電したい電子機器をスレーブ側のプラグに接続し、スレーブ側の電子機器よりも電池残量の大きい電子機器をマスタ側のプラグに接続する必要があるが、電池の消費量や電池残量の表示態様が違う機器の電池残量を比較することは困難である。
【０００５】
このような問題を解消するために、接続端子に各機器を接続した状態で、それぞれの電池残量を比較して、電池残量の大きい機器をマスタ、電池残量の小さい機器をスレーブとするような構成が考えられるが、このような場合、マスタとスレーブとは電池残量に基づいて設定されるため、充電を行っている間にマスタとスレーブとが入れ替わってしまう場合がある。このため、充電していたはずが気付かない間に放電していたり、充電中に必要以上にマスタとスレーブとが入れ替わったりすることで、充電池を無駄に消耗してしまうという新たな問題点が発生してしまう場合がある。
【０００６】
そこで、本発明の目的は、充電状況を把握することで、無駄な充電池の消耗を防止することができる充電制御装置を提供することである。
【課題を解決するための手段及び効果】
【０００７】
上記目的を達成するために、本発明は、電流を充電可能な充電池を有する電子機器と携帯電話機とを接続し、一方の充電池の電流を他方の充電池に供給して充電を行う充電制御装置において、電子機器の充電池の残容量を取得する第１取得手段と、携帯電話機の充電池の残容量を取得する第２取得手段と、第１及び第２取得手段が取得した残容量を比較する容量比較手段と、容量比較手段による比較の結果、残容量が大きい方を電流供給端末、他方を電流被供給端末に設定する端末設定手段と、設定された電流供給端末側の充電池の電流を電流被供給端末側の充電池に供給して充電する充電手段と、電子機器又は携帯電話機の何れが電流被供給端末に設定されたかを報知する報知手段と、前記電子機器が電流供給端末に設定されている場合において、前記第１取得手段が取得した残容量が所定容量以下となると、前記電子機器の電源を停止する電源停止手段と、を備え、前記充電手段は、前記電源停止手段が前記電子機器の電源を停止した場合、充電を停止し、前記携帯電話機の充電池の残容量が所定容量以下となると充電を再開することを特徴とする。
【０００８】
この構成によると、電子機器及び携帯電話機の充電池の残容量が大きい方を電流供給端末に設定し、電流被供給端末に設定された他方に電流を供給し、且つ、その電流被供給端末が電子機器であるか携帯電話機であるかを報知するようになっている。これにより、携帯電話機や電子機器の充電池の残容量を把握しなくても、携帯電話機と電子機器の充電池の残容量を適正な量にすることができると共に、現在どちら側の端末が充電を行っているかという充電状況を把握できるようになっている。電流供給端末と電流被供給端末とは、充電池の残容量に基づいて設定されるようになっているため、充電を行っている間に電流供給端末と電流被供給端末とが入れ替わる場合がある。この場合、必要以上に電流の供給を繰り返すことで、充電池を無駄に消耗してしまうおそれがある。また、例えば、携帯電話機に充電を行おうとした場合において、携帯電話機が電流供給端末に設定されてしまう場合があり、携帯電話機の充電を逆に消耗してしまうおそれがある。このため、電流被供給端末が電子機器であるか携帯電話機であるかを報知することで、かかる問題を解消することができる場合がある。しかも、電子機器又は携帯電話機の充電池の残容量が所定容量以下となると、電子機器の電源を停止させ、携帯電話機が電流被供給端末に設定されるようになっている。近年、必需品となってきている携帯電話機は充電容量がなくなると不都合となってしまう場合がある。このため、携帯電話機を充電できる電子機器の電源を停止することで充電池の自己消費を低減することで、携帯電話機を長く充電することができるようになる場合がある。しかも、充電を停止した後、携帯電話機の残容量が所定容量以下となると、充電を再開するようになっているため、電子機器を携帯電話機の予備的バッテリとすることができる場合がある。
【発明を実施するための最良の形態】
【００１５】
以下、本発明の好適な実施の形態について説明する。
【００１６】
本実施の形態の充電制御装置１は、図１に示すように、充電池を備える携帯電話機２及びＰＤＡ３を接続し、双方の間で充電を行うものとして説明する。具体的には、充電制御装置１は、携帯電話機２及びＰＤＡ３の何れか一方を電流供給側端末（以下、「マスタ」と言う）、他方を充電側端末（以下、「スレーブ」と言う）に設定し、マスタ側の充電池の電流をスレーブ側の充電池に供給し充電を行う。なお、充電制御装置１に接続する電子機器としては、ＰＤＡ３に限定することなく他の電子機器、例えば、ノート型パソコンやデジタルカメラ等の充電式の電子機器であればよい。
【００１７】
充電制御装置１は、本体１０と、携帯用プラグ１１と、ＰＤＡ用プラグ１２と、ケーブル１３ａ・１３ｂとを有している。携帯用プラグ１１は、携帯電話機１のコネクタに差込可能なプラグであり、ＰＤＡ用プラグ１２は、ＰＤＡ３のコネクタに差込可能なプラグである。ケーブル１３ａ・１３ｂは、携帯用プラグ１１及びＰＤＡ用プラグ１２と本体１０とを接続し、データ伝送を行うデータラインと電流供給を行う電源ラインとを有する。
【００１８】
本体１０は、図２に示すように、制御部１４、液晶パネル１５、停止ボタン１６及び電池１７を備えている。液晶パネル１５は、充電状況等を表示し、停止ボタン１６は、進行中の充電を停止させる。また、電池１７は、各回路に電力を供給し制御部１４等を動作可能にする。ここで、液晶パネル１５に表示される内容は、接続されている携帯電話機２及びＰＤＡ３の何れがマスタであるかを報知する内容（例えば、図４（ａ））や、ＰＤＡ３の電源及び充電を停止させたことの報知する内容（例えば、図４（ｂ）参照）等である。なお、図４（ａ）において、「携帯電話機：充電中」は、携帯電話機がスレーブであり、「ＰＤＡ：放電中」は、ＰＤＡ３がマスタであることを示している。
【００１９】
制御部１４は、図示しないＣＰＵ（Control Processing Unit）、ＲＡＭ（Random Access Memory）、ＲＯＭ（Read Only Memory）等からなるマイクロコンピュータである。ＣＰＵは、後述の図５に示す処理ルーチン等の各種演算処理を実行する。ＲＯＭは、各種初期設定やＣＰＵが実行するプログラム等を記憶する。ＲＡＭは、入力された各種情報等を上書き可能に記憶する。そして、ＣＰＵがＲＯＭに記憶されるプログラムを実行することで、制御部１４は、残容量取得機能と、残容量比較機能と、充電制御機能と、電源停止機能と、表示制御機能とを有するようになる。
【００２０】
残容量取得機能は、各プラグ１１・１２に接続された携帯電話機２及びＰＤＡ３の充電池の残容量を定期的に取得する。具体的には、携帯電話機２及びＰＤＡ３の充電池の電圧を検出することにより充電池の残容量を定期的に検知する。
【００２１】
残容量比較機能は、取得した携帯電話機２及びＰＤＡ３の充電池の残容量を比較する。なお、残容量比較機能は、単に充電池の残容量を比較してもよいし、携帯電話機２及びＰＤＡ３の残容量率を算出して比較してもよい。さらに、携帯電話機２及びＰＤＡ３の残り稼動時間を算出して比較するようにしてもよい。残容量率は、充電池の残容量と充電池の全容量とから算出され（残容量／全容量）、残り稼働時間は、携帯電話機２の残容量と携帯電話機２が必要とする消費電力とから算出される（残容量／消費電力）。残容量率や残り稼働時間を比較して、携帯電話機２及びＰＤＡ３をマスタ・スレーブに決定した場合、単に充電池の残容量を比較した場合よりも長く携帯電話機２及びＰＤＡ３が使用可能なように充電制御を行うことができる場合がある。
【００２２】
充電制御機能は、比較の結果、残容量の大きい方をマスタ、残容量の小さい方をスレーブに設定し、マスタ側の充電池の電流をスレーブ側の充電池に供給し、スレーブ側の充電池を充電し、停止ボタン１６が操作されると充電を停止する。また、充電制御機能は、携帯電話機２がマスタに設定されている場合において携帯電話機２の残容量が所定容量（例えば、１時間通話できる電池容量等）以下となったりすると充電を停止する。これにより、携帯電話機２からＰＤＡ３に充電を行っている場合に、生活の必需品である携帯電話機２が使用できなくなるおそれを低減できる場合がある。さらに、充電制御機能は、後述の電源停止機能によりＰＤＡ３の電源がオフにされると充電を停止し、携帯電話機２が所定容量（例えば、１時間通話できる電池容量等）以下となると充電を再開する。
【００２３】
電源停止機能は、ＰＤＡ３の残容量が所定容量（例えば、１時間使用できる電池容量等）以下となるとＰＤＡ３に電源をオフにさせる停止信号を出力する。ＰＤＡ３の充電池の残容量が所定容量以下になるとＰＤＡ３の電源をオフにすることで、残り少なくなったＰＤＡ３の充電池の容量が無駄に消費されることを防止できる場合がある。また、前記したように、ＰＤＡ３の残容量が所定容量以下となると、充電が停止するようになっており、その後、携帯電話機２が所定容量以下となると充電が再開するようになっている。即ち、携帯電話機２を充電する場合において、ＰＤＡ３の残容量が少なくなると充電を停止し、携帯電話機２の残容量が少なくなると、充電を再開して携帯電話機２を充電するようになっている。従って、ＰＤＡ３の残容量がその所定容量以下になると、ＰＤＡ３を予備バッテリとすることができる場合がある。なお、かかる所定容量は、例えば、携帯電話機２を１時間使用可能にする充電池の容量等とすることができ、この場合、ＰＤＡ３を、携帯電話機２を１時間使用可能にする予備バッテリとすることができる。
【００２４】
表示制御機能は、充電状況を把握して液晶パネル１５に表示する。
【００２５】
携帯電話機２は、マイクロコンピュータ２１、液晶パネル２２、操作部２３、充電池２４、不揮発性メモリ２５、スピーカ２６ａとマイク２６ｂとが接続される音声回路２６、送受信アンテナ２７ａが接続される無線部２７及びコネクタ２８を備えている。マイクロコンピュータ２１は、ＣＰＵ、ＲＯＭ及びＲＡＭから構成されたもので、例えば、電話の発着信処理、電子メールの作成送受信処理、インターネット処理等を行う。不揮発性メモリ２５は、例えば、待受画像用の画像データ等の各種データや各種プログラムを不揮発的に記憶する。
【００２６】
無線部２７は、マイクロコンピュータ２１により制御されて、送受信アンテナ２７ａを通じて電波を媒体として基地局に対して送受信する。音声回路２６は、無線部２７からマイクロコンピュータ２１を通じて出力された受信信号をスピーカ２６ａに出力するとともに、マイク２６ｂから出力された音声信号を送信信号としてマイクロコンピュータ２１を通じて無線部２７に出力する。
【００２７】
液晶パネル２２は、操作画面等を表示し、操作部２３は、数字や記号等を入力可能にする。スピーカ２６ａは、音声回路２６から出力された受信信号を受信音声に変換して出力し、マイク２６ｂは、操作者から発せられた送信音声を音声信号に変換して音声回路２６に出力する。充電池２４は、充電可能であって、各回路に電力を供給する。コネクタ２８は、上述の充電制御装置１の携帯用プラグ１１が挿着可能であって、マイクロコンピュータ２１の制御により、コネクタ２８を介してデータや充電池２４の電力等を入出力する。
【００２８】
ＰＤＡ３は、図３に示すように、マイクロコンピュータ３１、液晶パネル３２、操作部３３、充電池３４、不揮発性メモリ３５及びコネクタ３６を備えている。マイクロコンピュータ３１は、ＣＰＵ、ＲＯＭ及びＲＡＭから構成されている。不揮発性メモリ３５は、各種データや各種プログラムを不揮発的に記憶する。液晶パネル３２は、各種の情報を画面表示し、操作部３３は、操作命令等を入力する。充電池３４は、充電可能であって、マイクロコンピュータ３１等を動作可能に電力を供給する。コネクタ３６は、上述の充電制御装置１のＰＤＡ用プラグ１２が挿着可能であって、マイクロコンピュータ３１の制御により、コネクタ３６を介してデータや充電池３４の電力等を入出力する。
【００２９】
（充電制御装置の動作）
次に、図５を参照して充電制御装置１の動作について説明する。充電制御装置１の制御部１４は、プラグ１１・１２に携帯電話機２及びＰＤＡ３が接続されたことを検知すると、図５に示す処理ルーチンを実行する。制御部１４は、プラグ１１・１２が携帯電話機２及びＰＤＡ３のコネクタに差し込まれると電圧を検知するようになっており、これにより、プラグ１１・１２に携帯電話機２及びＰＤＡ３が接続されたことを検知することができるようになっている。なお、本ルーチンは、充電途中にプラグ１１・１２から携帯電話機２又はＰＤＡ３が抜き取られると終了する。
【００３０】
かかる処理ルーチンにおいて、まず、携帯電話機２及びＰＤＡ３の充電池の残容量を取得する（Ａ１）。なお、携帯電話機２及びＰＤＡ３の充電池の残容量は、本ルーチンにおいて定期的に取得されるようになっている。そして、携帯電話機２の充電池の残容量がＰＤＡ３の充電池の残容量以上であるか否かを判定する（Ａ２）。ＰＤＡ３の残容量以上である場合（Ａ２：ＹＥＳ）、携帯電話機２をマスタ、ＰＤＡ３をスレーブにセットし（Ａ４）、Ａ５に移行する。携帯電話機２の残容量がＰＤＡ３の残容量以上でない場合（Ａ２：ＮＯ）、ＰＤＡ３をマスタ、携帯電話機２をスレーブにセットし（Ａ３）、Ａ５に移行する。
【００３１】
Ａ５において、図４（ａ）に示すように、充電状況を液晶パネル１５に表示すると共に、充電制御を開始する（Ａ５）。充電状況を液晶パネル１５に表示することで、携帯電話機２及びＰＤＡ３の何れがマスタ、スレーブに設定されたかを確認することができる。そして、マスタ側の残容量がスレーブ側の残容量以下となった否かを判定する（Ａ６）。マスタ側の残容量がスレーブ側の残容量以下となった場合（Ａ６：ＮＯ）、充電制御を停止して（Ａ１０）、本ルーチンを終了する。なお、このとき、充電制御を停止せず、マスタとスレーブとを切り替えて充電制御を続けるようにしてもよい。
【００３２】
マスタ側の残容量がスレーブ側の残容量以下となっていない場合（Ａ６：ＮＯ）、次に、停止ボタン１６が操作されたか否かを判定する（Ａ７）。停止ボタン１６が操作された場合（Ａ７：ＹＥＳ）、充電制御を停止し（Ａ１０）、本ルーチンを終了する。停止ボタン１６が操作されていない場合（Ａ７：ＮＯ）、次に、ＰＤＡ３がマスタにセットされているか否かを判定する（Ａ８）。ＰＤＡ３がマスタにセットされていない場合（Ａ８：ＮＯ）、即ち、携帯電話機２がマスタにセットされている場合、携帯電話機２の充電池の残容量が所定容量以下であるか否かを判定する（Ａ９）。所定容量以下である場合（Ａ９：ＹＥＳ）、充電制御を停止し（Ａ１０）、本ルーチンを終了する。これにより、携帯電話機２が使用できなくなるといったおそれを低減できる場合がある。所定容量以下でない場合（Ａ９：ＮＯ）、Ａ６に戻る。
【００３３】
ＰＤＡ３がマスタにセットされている場合（Ａ８：ＹＥＳ）、ＰＤＡ３の残容量が所定容量以下であるか否かを判定する（Ａ１１）。所定容量以下でない場合（Ａ１１：ＮＯ）、Ａ６に戻る。所定容量以下である場合（Ａ１１：ＹＥＳ）、ＰＤＡ３の電源をオフにするため、停止信号をＰＤＡ３に出力する（Ａ１２）。ＰＤＡ３は、かかる信号を受信すると電源をオフにする。そして、図４（ｂ）に示すように、充電状況を液晶パネル１５に表示すると共に、充電制御を停止し（Ａ１３）、携帯電話機２の残容量が所定容量以下であるか否かを判定する（Ａ１４）。所定容量以下でない場合（Ａ１４：ＮＯ）、Ａ１４を繰り返す。所定容量以下となった場合（Ａ１４：ＹＥＳ）、充電制御を再開し（Ａ１５）、Ａ６に戻る。
【００３４】
（本実施の形態の概要）
以上、説明したように、本実施の形態は、電流を充電可能な充電池を有する電子機器（ＰＤＡ３）と携帯電話機（携帯電話機２）とを接続し、一方の充電池の電流を他方の充電池に供給して充電を行う充電制御装置（充電制御装置１）において、電子機器の充電池の残容量を取得する第１取得手段（制御部１４の残容量取得機能）と、携帯電話機の充電池の残容量を取得する第２取得手段（制御部１４の残容量取得機能）と、第１及び第２取得手段が取得した残容量を比較する容量比較手段（制御部１４の残容量比較機能）と、容量比較手段による比較の結果、残容量が大きい方を電流供給端末、他方を電流被供給端末に設定する端末設定手段（制御部１４の充電制御機能）と、設定された電流供給端末側の充電池の電流を電流被供給端末側の充電池に供給して充電する充電手段（制御部１４の充電制御機能）と、電子機器又は携帯電話機の何れが電流被供給端末に設定されたかを報知する報知手段（液晶パネル１５、制御部１４の表示制御機能）と、電子機器が電流供給端末に設定されている場合において、第１取得手段が取得した残容量が所定容量以下となると、電子機器の電源を停止させる電源停止手段（制御部１４の電源停止機能）と、を備え、充電手段は、電源停止手段が電子機器の電源を停止した場合、充電を停止し、携帯電話機の充電池の残容量が所定容量以下となると、充電を再開する構成となっている。
【００３５】
この構成によると、電子機器及び携帯電話機の充電池の残容量が大きい方を電流供給端末に設定し、電流被供給端末に設定された他方に電流を供給し、且つ、その電流被供給端末が電子機器であるか携帯電話機であるかを報知するようになっている。これにより、携帯電話機や電子機器の充電池の残容量を把握しなくても、携帯電話機と電子機器の充電池の残容量を適正な量にすることができると共に、現在どちら側の端末が充電を行っているかという充電状況を把握できるようになっている。電流供給端末と電流被供給端末とは、充電池の残容量に基づいて設定されるようになっているため、充電を行っている間に電流供給端末と電流被供給端末とが入れ替わる場合がある。この場合、必要以上に電流の供給を繰り返すことで、充電池を無駄に消耗してしまうおそれがある。また、例えば、携帯電話機に充電を行おうとした場合において、携帯電話機が電流供給端末に設定されてしまう場合があり、携帯電話機の充電を逆に消耗してしまうおそれがある。このため、電流被供給端末が電子機器であるか携帯電話機であるかを報知することで、かかる問題を解消することができる場合がある。しかも、電子機器又は携帯電話機の充電池の残容量が所定容量以下となると、電子機器の電源を停止させ、携帯電話機が電流被供給端末に設定されるようになっている。近年、必需品となってきている携帯電話機は充電容量がなくなると不都合となってしまう場合がある。このため、携帯電話機を充電できる電子機器の電源を停止することで充電池の自己消費を低減することで、携帯電話機を長く充電することができるようになる場合がある。しかも、充電を停止した後、携帯電話機の残容量が所定容量以下となると、充電を再開するようになっているため、電子機器を携帯電話機の予備的バッテリとすることができる場合がある。
【００４２】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４３】
例えば、本実施の形態において、充電制御装置１は、携帯電話機２やＰＤＡ３とは別個の装置として説明しているが、充電制御装置１の構成を携帯電話機２やＰＤＡ３の内部に設けるようにしてもよい。この場合、携帯電話機２やＰＤＡ３の液晶パネルに充電状況を表示するようにしてもよい。また、本実施の形態では、マスタ側の残容量がスレーブ側の残容量を下回ると充電を停止するようにしているが、この場合に、マスタとスレーブとを入れ替え、充電を続けるようにしてもよい。
【００４４】
また、携帯電話機２及びＰＤＡ３の何れかマスタであるかを報知する手段を液晶表示パネル１５としているが、ＬＥＤランプにより報知してもよいし、音声により報知してもよい。また、携帯電話機２やＰＤＡ３の液晶パネルに表示してもよい。
【００４５】
さらに、ＰＤＡ３の残容量が所定容量以下となると電源を停止させるようにしているが、停止させなくてもよいし、ＰＤＡ用プラグ１２に接続した時点で、ＰＤＡ３の電源を停止するようにしてもよい。また、携帯電話機２への電源を停止した場合において（図５のＡ１３）、携帯電話機２が着信すると充電を開始するようにしてもよい。この場合、消費電力が大きくなった場合に充電を行うことで、より長く充電を行うことができるだけでなく、通話中などに充電池がなくなってしまい、通話が遮断されてしまうおそれを低減できる場合がある。
【図面の簡単な説明】
【００４６】
【図１】実施例にかかる充電制御装置に携帯電話機とＰＤＡとを接続した構成を示す概略図。
【図２】充電制御装置の電気的構成を示すブロック図。
【図３】携帯電話機及びＰＤＡの電気的構成を示すブロック図。
【図４】充電制御装置の液晶パネルに表示される画面を示す図。
【図５】充電制御装置の動作を表す処理ルーチンのフローチャートを示す図。
【符号の説明】
【００４７】
１    充電制御装置
２    携帯電話機
３    ＰＤＡ
１０    本体
１１    携帯用プラグ
１２    ＰＤＡ用プラグ
１３ａ・１３ｂ  ケーブル
１４    制御部
１５    液晶パネル
１６    停止ボタン
【図１】
0004504315.tif 000002
【図２】
0004504315.tif 000003
【図３】
0004504315.tif 000004
【図４】
0004504315.tif 000005
【図５】
0004504315.tif 000006